(57)【要約】【課題】アンテナと回路基板との接続を検査する検査回路を搭載した携帯端末を提供する。【解決手段】携帯端末１は、アンテナ２と、回路基板３と、アンテナ２と回路基板３とを接続するための接続部４と、回路基板３に実装され、接続部４によってアンテナ２と回路基板３とを接続することにより、アンテナ２との間で高周波信号を送受信可能に構成された高周波回路５と、回路基板３に実装され、接続部４におけるアンテナ２と回路基板３との接続を検査する検査回路２０とを備える。【選択図】図２
2016072654.tif 000002
【特許請求の範囲】
【請求項１】
アンテナと、
回路基板と、
前記アンテナと前記回路基板とを接続するための接続部と、
前記回路基板に実装され、前記接続部によって前記アンテナと前記回路基板とを接続することにより、前記アンテナとの間で高周波信号を送受信可能に構成された高周波回路と、
前記回路基板に実装され、前記接続部における前記アンテナと前記回路基板との接続を検査する検査回路とを備える、携帯端末。
【請求項２】
前記検査回路は、前記アンテナから前記接続部に入力される電圧を検知する電圧検知部を含み、前記電圧検知部による検知電圧に基づいて前記アンテナと前記回路基板との接続を検査する、請求項１に記載の携帯端末。
【請求項３】
前記電圧検知部は、電源端子と接地端子との間に接続され、前記アンテナから前記接続部に入力される電圧に応じてオンオフされる第１のスイッチング素子を含み、
前記第１のスイッチング素子は、前記アンテナと前記回路基板との接続時に前記接続部に入力される電圧によってオフされる一方で、前記アンテナと前記回路基板との非接続時に前記接続部に入力される電圧によってオンされる、請求項２に記載の携帯端末。
【請求項４】
前記検査回路に対して検査を指示するためのトリガ信号を出力するための制御部をさらに備え、
前記電圧検知部は、前記電源端子と前記接地端子との間に前記第１のスイッチング素子と直列に接続され、前記トリガ信号を受けてオンされる第２のスイッチング素子をさらに含む、請求項３に記載の携帯端末。
【請求項５】
前記検査回路に対して検査を指示するためのトリガ信号を出力するための制御部と、
前記トリガ信号を受けて、前記電源端子に電源電圧を供給するように構成された電源回路とをさらに備える、請求項３に記載の携帯端末。
【請求項６】
前記検査回路に対して検査を指示するためのトリガ信号を出力するための制御部をさらに備え、
前記電圧検知部は、
電源端子と接地端子との間に接続され、前記アンテナから前記接続部に入力される電圧に応じてオンオフされる第３のスイッチング素子と、
前記アンテナと前記接地端子との間に接続され、前記トリガ信号を受けてオンされる第４のスイッチング素子とを含み、
前記第３のスイッチング素子は、
前記第４のスイッチング素子がオンされている場合には、前記アンテナと前記回路基板との接続時に前記接続部に入力される電圧によってオンされる一方で、前記アンテナと前記回路基板との非接続時に前記接続部に入力される電圧によってオフされ、かつ、前記第４のスイッチング素子がオフされている場合には、オフされる、請求項２に記載の携帯端末。
【発明の詳細な説明】
【技術分野】
【０００１】
この発明は、携帯端末に関し、より特定的には、アンテナと回路基板との接続を検査する検査回路を搭載した携帯端末に関する。
【背景技術】
【０００２】
携帯電話やスマートフォンなどの携帯端末においては、筐体の内部に高周波（ＲＦ：Radio  Frequency）回路が実装された回路基板を搭載している。この回路基板をアンテナに接続することにより、回路基板上のＲＦ回路とアンテナとが電気的に接続される。これにより、ＲＦ回路は、アンテナへＲＦ信号を送信する処理と、アンテナからＲＦ信号を受信する処理とを行なうことが可能となる（たとえば特開２０１４−１３９９３号公報（特許文献１）参照）。
【０００３】
従来、携帯端末においては、出荷時において、アンテナと回路基板とが正常に接続されていることを確認するための検査が行なわれている。この検査は、一般的に、携帯端末と携帯端末の外部に設置された検査装置とによって検査システムを構成し、検査装置に向けて、携帯端末内部のＲＦ回路からＲＦ信号を送信する手法が採用されている。この手法では、アンテナと回路基板とが接続されている場合には、ＲＦ回路が発生したＲＦ信号はアンテナに供給された後、アンテナから検査装置に向けて送信される。したがって、検査装置は、携帯端末から送信されたＲＦ信号を正常に受信できたか否かに基づいて、アンテナと回路基板とが接続されているか否かを判断することができる。
【先行技術文献】
【特許文献】
【０００４】
【特許文献１】特開２０１４−１３９９３号公報
【発明の概要】
【発明が解決しようとする課題】
【０００５】
しかしながら、上記の検査システムにおいては、携帯端末の外部に、携帯端末が出力するＲＦ信号を受信する機能を備えた検査装置を設置する必要が生じる。また、空間を伝搬するＲＦ信号を検査装置側のアンテナが受信する構成となっているため、検査が行なわれる環境や携帯端末のアンテナの角度などの影響を受けて、ＲＦ信号の受信強度が安定しないという問題がある。ＲＦ信号の受信強度を安定させるためには、携帯端末ごとに、外部からのノイズを遮断するためのシールド箱を設置する、または、検査装置側のアンテナの設置位置を調整するといった、複雑かつ大掛かりな設備のカスタマイズが必要となる。その結果、検査システムの立上げに多大な時間および労力が費やされることになる。
【０００６】
本発明は、このような問題を解決するためになされたものであって、その目的は、アンテナと回路基板との接続を検査する検査回路を搭載した携帯端末を提供することである。
【課題を解決するための手段】
【０００７】
この発明のある局面では、携帯端末は、アンテナと、回路基板と、アンテナと回路基板とを接続するための接続部と、回路基板に実装され、接続部によってアンテナと回路基板とを接続することにより、アンテナとの間で高周波信号を送受信可能に構成された高周波回路と、回路基板に実装され、接続部におけるアンテナと回路基板との接続を検査する検査回路とを備える。
【発明の効果】
【０００８】
この発明によれば、アンテナと回路基板との接続を検査する検査回路を搭載した携帯端末を実現することができる。
【図面の簡単な説明】
【０００９】
【図１】この発明の実施の形態１に係る携帯端末の構成を示すブロック図である。
【図２】図１における検査回路の構成の一例を示す回路図である。
【図３】検査回路における接続検査を説明する図である。
【図４】この発明の実施の形態２に係る携帯端末に搭載される検査回路の構成の一例を示す回路図である。
【図５】この発明の実施の形態２の変形例に係る携帯端末における検査回路の構成の一例を示す回路図である。
【図６】この発明の実施の形態３に係る携帯端末に搭載される検査回路の構成の一例を示す回路図である。
【図７】検査回路における接続検査を説明する図である。
【発明を実施するための形態】
【００１０】
以下、本発明の実施の形態について図面を参照して詳細に説明する。なお、以下図中の同一または相当部分には同一符号を付して、その説明は原則的に繰返さないものとする。
【００１１】
［実施の形態１］
（携帯端末の構成）
図１は、この発明の実施の形態１に係る携帯端末１の構成を示すブロック図である。図１を参照して、携帯端末１は、主たる構成要素として、アンテナ２と、ＲＦ回路５と、制御部６と、メモリ７と、電源回路８と、報知部９と、入力部１０とを備える。
【００１２】
アンテナ２は、ダイポールアンテナ、モノポールアンテナおよび逆Ｆアンテナなどの公知のアンテナを用いることができる。携帯端末１の筐体の空きスペースに応じていずれかのアンテナが選択され得る。
【００１３】
ＲＦ回路５は、高周波（ＲＦ）電波を利用した無線通信用の回路である。ＲＦ回路５はアンテナ２を介して基地局（図示せず）と通信する。ＲＦ回路５は、図示は省略するが、制御部６から出力されたベースバンド送信信号をＲＦ送信信号に変換する送信部と、アンテナ２によって受信したＲＦ受信信号を低周波のベースバンド信号に変換する受信部とを含む。送信部から出力されたＲＦ送信信号はアンテナ２に供給される。受信部で生成されたベースバンド受信信号は制御部６に入力される。ＲＦ回路５は、高周波集積回路（ＲＦＩＣ）により実現される。
【００１４】
制御部６は、主にＣＰＵ（Central  Processing  Unit）により実現される。制御部６は、メモリ７に記憶されたプログラムを実行することによって、携帯端末１の各部を統括的に制御する。
【００１５】
メモリ７は、ＲＡＭ（Random  Access  Memory）、ＲＯＭ（Read-Only  Memory）、フラッシュメモリなどによって実現される。メモリ７は、制御部６によって実行されるプログラムを記憶するとともに、制御部６のワーク領域としても設けられる。メモリ７はＣＰＵとともに、マイクロコントローラユニット（ＭＣＵ：Micro-Controller  Unit）により実現される。
【００１６】
電源回路８は、商用電源などの外部電源から電圧の供給を受けて携帯端末１の各部の電源電圧を生成する回路である。
【００１７】
報知部９は、表示機能または音声出力機能を有しており、たとえば、表示機能を有する表示部（ディスプレイ）、音声出力機能を有するスピーカを有する。
【００１８】
入力部１０は、携帯端末1に対する入力インタフェース（Ｉ／Ｆ）であり、タッチパネル等の入力手段である。さらに、携帯端末１に対する発話を受け付けるマイク、外部の記憶媒体とのデータを読み書きするためのメモリインタフェースなどを含んでいてもよい。
【００１９】
制御部６、メモリ７およびインタフェース回路などを含むＭＣＵ、ＲＦ回路５（ＲＦＩＣ）および電源回路８などの半導体チップは、回路基板３に実装されている。回路基板３は、接続部４によってアンテナ２と接続される。接続部４は、たとえば、回路基板３に実装された接続端子（コネクタ）により構成される。接続部４によって回路基板３とアンテナ２とが接続されることにより、アンテナ２とＲＦ回路５とが電気的に接続される。これにより、ＲＦ回路５とアンテナ２との間でＲＦ信号の送受信処理が実行可能となる。言い換えれば、アンテナ２と回路基板３とが接続されていない状態では、ＲＦ信号の送受信処理を行なうことができない。
【００２０】
本実施の形態１に係る携帯端末１は、アンテナ２と回路基板３との接続を検査するための構成として、検査回路２０をさらに備える。検査回路２０は、半導体チップの形態で実現され、回路基板３に実装することが可能に構成されている。すなわち、本実施の形態１に係る携帯端末１は、検査回路２０を搭載している。
【００２１】
接続部４とＲＦ回路５との間には、接続部４とＲＦ回路５との間でＲＦ信号を伝達する信号線１１が結合される。検査回路２０は、信号線１１のノードＮ１と接地端子ＧＮＤとの間に接続されている。なお、信号線１１には、直流成分を遮断するＤＣカット用容量素子Ｃが接続されている。ノードＮ１は、接続部４とＤＣカット用容量素子Ｃとの間に配置される。ノードＮ１には、接続部４を経由してアンテナ２からの入力電圧が供給される。
【００２２】
検査回路２０は、電源回路８から電源電圧の供給を受ける。検査回路２０は、アンテナ２から接続部４に入力される電圧を検知し、その検知した電圧を示す電圧検知信号を制御部６に出力する。制御部６は、検査回路２０から入力される電圧検知信号に基づいて、アンテナ２と回路基板３とが接続されているか否かを判断することができる。
【００２３】
制御部６はさらに、アンテナ２と回路基板３とが接続されていないと判断した場合には、報知部９に、アンテナ２と回路基板３とが接続されていない旨の情報を報知するように指示する。たとえば、報知部９に表示機能が設けられている場合には、当該表示機能を実行することにより、検査者に対してアンテナ２と回路基板３とが接続されていないことを報知することができる。具体的には、制御部６は、アンテナと回路基板とが接続されていないことを通知するユーザインタフェースを表示部（ディスプレイ）の表示画面に表示させる。
【００２４】
（検査回路の構成および動作）
以下、図１の検査回路２０の具体的構成について説明する。図２は、図１における検査回路２０の構成の一例を示す回路図である。図２は、アンテナ２に逆Ｆアンテナ２Ｆを用いた場合の検査回路２０の構成の一例を示している。
【００２５】
図２を参照して、検査回路２０は、スイッチング素子としてのトランジスタＴ１と、抵抗素子Ｒ１〜Ｒ３と、高周波カット用のリアクトルＬ１と、電圧検知部２２とを含む。
【００２６】
トランジスタＴ１はｎｐｎトランジスタによって構成される。トランジスタＴ１は、電源端子Ｖｃｃと接地端子ＧＮＤとの間に、抵抗素子Ｒ２およびＲ３と直列に接続される。具体的には、トランジスタＴ１のコレクタは抵抗素子Ｒ２を経由して電源端子Ｖｃｃと接続され、トランジスタＴ１のエミッタは抵抗素子Ｒ３を経由して接地端子ＧＮＤと接続されている。
【００２７】
トランジスタＴ１の制御電極（ベース）はリアクトルＬ１を経由してノードＮ１と接続されている。トランジスタＴ１のベースはさらに、抵抗素子Ｒ１を経由して電源端子Ｖｃｃと接続されている。したがって、トランジスタＴ１のベースには、接続部４およびノードＮ１を経由して逆Ｆアンテナ２Ｆからの電圧が入力されるとともに、抵抗素子Ｒ１を経由して電源電圧が入力される。トランジスタＴ１は、ベースの電圧がＨレベル（電源電圧に相当）のときにオンし、Ｌレベル（接地電圧に相当）のときにオフする。
【００２８】
電圧検知部２２は、トランジスタＴ１のエミッタと抵抗素子Ｒ３との接続ノードＮ２に接続されている。電圧検知部２２は、接続ノードＮ２に生じる電圧を検知し、検知した電圧を示す電圧検知信号を制御部６に出力する。
【００２９】
図３は、検査回路２０における接続検査を説明する図である。図３（Ａ）は、逆Ｆアンテナ２Ｆと回路基板３とが接続されているとき（正常時）の検査回路２０の動作を示す図である。図３（Ｂ）は、逆Ｆアンテナ２Ｆと回路基板３とが接続されていないとき（異常時）の検査回路２０の動作を示す図である。
【００３０】
逆Ｆアンテナ２Ｆは、基本的に、接地型モノポールアンテナを折り曲げたＬ型アンテナにインピーダンス整合のための短絡点を設けたものである。したがって、図３（Ａ）に示すように、接続部４によって逆Ｆアンテナ２Ｆと回路基板３とが接続されている場合（正常時）、すなわち、逆Ｆアンテナ２ＦとＲＦ回路５とが電気的に接続されている場合には、接続部４を経由してノードＮ１に接地電圧が入力される。すなわち、逆Ｆアンテナ２Ｆからの入力電圧はＬレベルとなる。
【００３１】
このとき、検査回路２０においては、逆Ｆアンテナ２ＦからのＬレベルの入力電圧がトランジスタＴ１のベースに入力されるため、トランジスタＴ１がオフする。したがって、抵抗素子Ｒ２、トランジスタＴ１および抵抗素子Ｒ３の直列回路には電流が流れず、ノードＮ２の電圧は接地電圧レベルとされる。この場合、電圧検知部２２は、ノードＮ２の電圧（接地電圧）を検知してＬレベルの電圧検知信号を出力する。
【００３２】
これに対して、図３（Ｂ）に示すように、接続部４にて逆Ｆアンテナ２Ｆと回路基板３とが接続されていない場合（異常時）、すなわち、逆Ｆアンテナ２ＦとＲＦ回路５とが電気的に接続されていない場合には、ノードＮ１には逆Ｆアンテナ２Ｆからの接地電圧が入力されず、ノードＮ１はハイインピーダンス状態となる。そのため、検査回路２０においては、電源端子Ｖｃｃからの電源電圧がトランジスタＴ１のベースに入力されることになり、トランジスタＴ１がオンする。これにより、図中に矢印で示すように、抵抗素子Ｒ２、トランジスタＴ１および抵抗素子Ｒ３の直列回路を電流が流れるため、ノードＮ２には、電源電圧を抵抗素子Ｒ２およびＲ３で分圧した電圧が現れる。この場合、電圧検知部２２は、ノードＮ２の電圧（分圧電圧）を検知してＨレベルの電圧検知信号を出力する。
【００３３】
このように、検査回路２０から出力される電圧検知信号は、逆Ｆアンテナ２Ｆと回路基板３とが接続されているとき（正常時）にはＬレベルとなり、逆Ｆアンテナ２Ｆと回路基板３とが接続されていないとき（異常時）にはＨレベルとなる。したがって、制御部６は、検査回路２０から入力される電圧検知信号に基づいて、逆Ｆアンテナ２Ｆと回路基板３とが接続されているか否かを判断することができる。
【００３４】
なお、図３（Ａ）に示すように、検査回路２０は、正常時にはトランジスタＴ１をオフすることで、検査回路２０内に電流を流さない構成となっている。このため、携帯端末１に検査回路２０を搭載したことによって電力消費が発生するのを防止することができる。
【００３５】
（作用効果）
以上説明したように、この発明の実施の形態１に係る携帯端末によれば、アンテナと回路基板との接続を検査するための検査回路を携帯端末の回路基板に実装したことにより、外部の検査装置を用いずに携帯端末単体で接続検査を行なうことができる。これにより、従来の検査システムのように、携帯端末内部のＲＦ回路から外部の検査装置に向けてＲＦ信号を送信させる作業が不要となるため、ＲＦ信号を安定させるための設備のカスタマイズが不要となる。したがって、接続検査に要する時間および労力を大幅に削減することができる。
【００３６】
また、携帯端末単体での検査が可能になったことにより、携帯端末の出荷後においても、必要に応じて接続検査を行なうことができる。なお、検査回路２０は高周波カット用のリアクトルＬ１によって信号線１１に接続されているため、ＲＦ信号の送受信処理の実行中においても接続検査を行なうことができる。そして、接続検査の結果、アンテナと回路基板とが接続されていないと判断された場合には、アンテナと回路基板との間の接続の異常を携帯端末のユーザに知らせることができる。または、端末販売業者が、顧客から持ち込まれた携帯端末に対して接続検査を行なうようにしてもよい。
【００３７】
［実施の形態２］
図４は、この発明の実施の形態２に係る携帯端末１Ａに搭載される検査回路２０Ａの構成の一例を示す回路図である。なお、この発明の実施の形態２に係る携帯端末１Ａの全体構成は、図１と同様であるので詳細な説明は繰り返さない。また、回路基板３Ａの構成についても、検査回路２０Ａの回路構成を除いて、図２と同様であるので、詳細な説明は繰り返さない。
【００３８】
図４を参照して、検査回路２０Ａは、図２に示す検査回路２０と基本的に同様の構成を有している。しかし、検査回路２０Ａは、スイッチング素子としてのトランジスタＴ２を含む点で検査回路２０とは異なっている。
【００３９】
トランジスタＴ２はｎｐｎトランジスタによって構成される。トランジスタＴ２は、電源端子Ｖｃｃと接地端子ＧＮＤとの間に、抵抗素子Ｒ２，Ｒ３およびトランジスタＴ１と直列に接続される。具体的には、トランジスタＴ２のコレクタは電源端子Ｖｃｃに接続され、トランジスタＴ２のエミッタは抵抗素子Ｒ２、トランジスタＴ１および抵抗素子Ｒ３を介して接地端子ＧＮＤと接続されている。なお、図４では、電源端子Ｖｃｃと抵抗素子Ｒ２との間にトランジスタＴ２を接続する構成を例示しているが、抵抗素子Ｒ２，Ｒ３およびトランジスタＴ１に直列に接続されていれば、この構成に限られない。
【００４０】
トランジスタＴ２のベースは制御部６に接続されている。トランジスタＴ２のベースには、制御部６から出力される、検査回路２０に検査を指示するためのトリガ信号が入力される。制御部６は、入力部１０が接続検査の開始の指示を受け付けたことに基づいて、Ｈレベルに活性化されたトリガ信号を発生する。
【００４１】
トランジスタＴ２は、Ｈレベルに活性化されたトリガ信号を受けてオンする。トランジスタＴ２がオンすることにより、電源端子Ｖｃｃと接地端子ＧＮＤとの間に抵抗素子Ｒ２，Ｒ３およびトランジスタＴ１の直列回路が電気的に接続される。これにより、検査回路２０Ａは、図２に示した検査回路２０と実質的に回路構成が同じとなる。すなわち、検査回路２０Ａは、接続検査を実行可能な「有効」の状態に設定される。したがって、図３に説明したのと同様の方法によって、制御部６は、電圧検知部２２から出力される電圧検知信号に基づいて、アンテナ２Ｆと回路基板３とが接続されているか否かを判断することができる。
【００４２】
制御部６は、入力部１０から接続検査の終了を指示する検査終了信号を受け付けると、検査回路２０Ａにおける接続検査が終了したと判断して、トリガ信号をＬレベルに非活性化させる。Ｌレベルのトリガ信号を受けてトランジスタＴ２がオフすることにより、検査回路２０Ａは、接続検査を実行できない「無効」の状態に設定される。
【００４３】
（実施の形態２の変形例）
図５は、この発明の実施の形態２の変形例に係る携帯端末１Ｂにおける検査回路２０Ｂの構成の一例を示す回路図である。
【００４４】
図５を参照して、検査回路２０Ｂは、図２に示す検査回路２０と基本的に同様の構成を有している。しかし、検査回路２０Ｂは、電源回路８に代えて、電源回路８Ｂを含む点で検査回路２０とは異なっている。
【００４５】
電源回路８Ｂには、制御部６からオンオフ信号が入力される。電源回路８Ｂは、オンオフ信号の論理レベルに応じてオン状態およびオフ状態に切り替わる。具体的には、オンオフ信号がＨレベルのとき、電源回路８Ｂはオン状態となり、電源端子Ｖｃｃに電源電圧を供給する。電源端子Ｖｃｃに電源電圧が供給されることによって、検査回路２０Ｂは、図２に示した検査回路２０と実質的に回路構成が同じとなる。すなわち、検査回路２０Ｂは有効に設定される。したがって、図３に説明したのと同様の方法によって、制御部６は、電圧検知部２２から出力される電圧検知信号に基づいて、アンテナ２と回路基板３とが接続されているか否かを判断することができる。
【００４６】
一方、オンオフ信号がＬレベルのときには、電源回路８Ｂはオフ状態となり、電源端子Ｖｃｃへの電源電圧の供給を行なわない。したがって、検査回路２０Ｂは無効に設定される。
【００４７】
本変形例では、制御部６は、入力部１０が検査開始の指示を受け付けたことに基づいて、Ｈレベルに活性化されたオンオフ信号を発生する。これにより、検査回路２０Ｂは有効に設定される。制御部６はさらに、入力部１０から検査終了信号を受けると、検査回路２０Ｂにおける接続検査が終了したと判断して、トリガ信号をＬレベルに非活性化させる。Ｌレベルのトリガ信号を受けてトランジスタＴ２がオフすることにより、検査回路２０Ａは無効に設定される。
【００４８】
（作用効果）
以上説明したように、この発明の実施の形態２に係る携帯端末によれば、アンテナと回路基板との接続を検査するための検査回路を携帯端末の回路基板に実装したことにより、上述した実施の形態１に係る携帯端末と同様の効果を奏することができる。
【００４９】
本実施の形態２ではさらに、接続検査を行なうときにのみ検査回路を有効に設定し、接続検査を行なわないときには検査回路を無効に設定することができる。上記の実施の形態１では、検査回路が常に有効であるため、たとえば、携帯端末１の出荷後に万一接続部４が故障してアンテナ２と回路基板３との接続が遮断してしまった場合、検査回路２０のトランジスタＴ１がオンに固定されることによって検査回路内に電流が流れ続けることになる。そのため、無駄な電力消費が増えてしまう虞がある。これに対して、本実施の形態２では、接続検査の終了後は検査回路を無効に設定することができるため、無駄な電力消費を防止することができる。
【００５０】
［実施の形態３］
図６は、この発明の実施の形態３に係る携帯端末１Ｃに搭載される検査回路２０Ｃの構成の一例を示す回路図である。本実施の形態３では、アンテナ２にダイポールアンテナまたはモノポールアンテナを用いた場合の検査回路の構成について説明する。
【００５１】
なお、この発明の実施の形態３に係る携帯端末１Ｃの全体構成は、アンテナ２に逆Ｆアンテナ２Ｆに代えてダイポールアンテナ２Ｄを用いる点を除いて、図１と同様であるので詳細な説明は繰り返さない。また、回路基板３Ｃの構成についても、検査回路２０Ｃの回路構成を除いて、図２と同様であるので、詳細な説明は繰り返さない。
【００５２】
図６を参照して、検査回路２０Ｃは、図２に示す検査回路２０と基本的に同様の構成を有している。しかし、検査回路２０Ｃは、トランジスタＴ１に代えて、トランジスタＴ３，Ｔ４を含む点で検査回路２０とは異なっている。
【００５３】
トランジスタＴ３はｐｎｐトランジスタによって構成される。トランジスタＴ３は、電源端子Ｖｃｃと接地端子ＧＮＤとの間に、抵抗素子Ｒ２およびＲ３と直列に接続される。具体的には、トランジスタＴ３のエミッタは抵抗素子Ｒ２を経由して電源端子Ｖｃｃと接続され、トランジスタＴ３のコレクタは抵抗素子Ｒ３を経由して接地端子ＧＮＤと接続されている。
【００５４】
トランジスタＴ３のベースはリアクトルＬ１を経由してノードＮ１と接続されている。トランジスタＴ３のベースはさらに、抵抗素子Ｒ１を経由して電源端子Ｖｃｃと接続されている。したがって、トランジスタＴ３のベースには、接続部４およびノードＮ１を経由してダイポールアンテナ２Ｄからの電圧が入力されるとともに、抵抗素子Ｒ１を経由して電源電圧が入力される。トランジスタＴ３は、ベースの電圧がＬレベルのときにオンし、Ｈレベルのときにオフする。
【００５５】
トランジスタＴ４はｎｐｎトランジスタによって構成される。トランジスタＴ４は、ダイポールアンテナ２Ｄと接地端子ＧＮＤとの間に接続される。トランジスタＴ４のベースは制御部６に接続されており、制御部６からトリガ信号が入力される。
【００５６】
図７は、検査回路２０Ｃにおける接続検査を説明する図である。図７（Ａ）は、ダイポールアンテナ２Ｄと回路基板３とが接続されているとき（正常時）の検査回路２０の動作を示す図である。図３（Ｂ）は、ダイポールアンテナ２Ｄと回路基板３とが接続されていないとき（異常時）の検査回路２０の動作を示す図である。
【００５７】
図７（Ａ）を参照して、トランジスタＴ４は、Ｈレベルに活性化されたトリガ信号を受けてオンする。これにより、ダイポールアンテナ２Ｄが接地端子ＧＮＤに接続される。したがって、図７（Ａ）に示すように、接続部４によってダイポールアンテナ２Ｄと回路基板３とが接続されている場合（正常時）、すなわち、ダイポールアンテナ２ＤとＲＦ回路５とが電気的に接続されている場合には、接続部４を経由してノードＮ１に接地電圧が入力される。すなわち、ダイポールアンテナ２Ｄからの入力電圧はＬレベルとなる。
【００５８】
このとき、検査回路２０Ｃにおいては、ダイポールアンテナ２ＤからのＬレベルの入力電圧がトランジスタＴ３のベースに入力されるため、トランジスタＴ３がオンする。これにより、図中に矢印で示すように、抵抗素子Ｒ２、トランジスタＴ１および抵抗素子Ｒ３の直列回路を電流が流れるため、ノードＮ２には、電源電圧を抵抗素子Ｒ２およびＲ３で分圧した電圧が現れる。この場合、電圧検知部２２は、ノードＮ２の電圧（分圧電圧）を検知してＨレベルの電圧検知信号を出力する。
【００５９】
これに対して、図７（Ｂ）に示すように、接続部４にてダイポールアンテナ２Ｄと回路基板３とが接続されていない場合（異常時）、すなわち、ダイポールアンテナ２ＤとＲＦ回路５とが電気的に接続されていない場合には、ノードＮ１にはダイポールアンテナ２Ｄからの接地電圧が入力されず、ノードＮ１はハイインピーダンス状態となる。そのため、検査回路２０Ｃにおいては、電源端子Ｖｃｃからの電源電圧がトランジスタＴ３のベースに入力されることになり、トランジスタＴ３がオフする。したがって、抵抗素子Ｒ２、トランジスタＴ３および抵抗素子Ｒ３の直列回路には電流が流れず、ノードＮ２の電圧は接地電圧レベルとされる。この場合、電圧検知部２２は、ノードＮ２の電圧（接地電圧）を検知してＬレベルの電圧検知信号を出力する。
【００６０】
このように、検査回路２０Ｃから出力される電圧検知信号は、トリガ信号がＨレベルに活性化されている場合において、ダイポールアンテナ２Ｄと回路基板３とが接続されているとき（正常時）にはＨレベルとなり、ダイポールアンテナ２Ｄと回路基板３とが接続されていないとき（異常時）にはＬレベルとなる。したがって、制御部６は、検査回路２０Ｃから入力される電圧検知信号に基づいて、ダイポールアンテナ２Ｄと回路基板３とが接続されているか否かを判断することができる。
【００６１】
なお、トリガ信号がＬレベルに非活性化されている場合には、検査回路２０Ｃは、ダイポールアンテナ２Ｄが接地端子ＧＮＤから切り離されているため、ダイポールアンテナ２Ｄと回路基板３との接続の有無によらず、ノードＮ１はハイインピーダンス状態となる。したがって、トランジスタＴ３がオフとなり、検査回路２０Ｃには電流が流れず、電圧検知部２２はＬレベルの電圧検知信号を出力する。
【００６２】
すなわち、検査回路２０Ｃは、上記の実施の形態２に係る検査回路２０Ｂと同様に、トリガ信号がＨレベルに活性化されたときに有効に設定される一方で、トリガ信号がＬレベルに非活性化されたときに無効に設定される。
【００６３】
（作用効果）
以上説明したように、この発明の実施の形態３に係る携帯端末によれば、アンテナと回路基板との接続を検査するための検査回路を携帯端末の回路基板に実装したことにより、上述した実施の形態１に係る携帯端末と同様の効果を奏することができる。
【００６４】
本実施の形態３ではさらに、トランジスタＴ４のオンオフによってダイポールアンテナを選択的に接地端子に接続することができるため、接続検査を行なうときにのみ検査回路を有効に設定し、接続検査を行なわないときに検査回路を無効に設定することができる。したがって、上記の実施の形態２に係る携帯端末と同様の効果を奏することができる。
【００６５】
ただし、本実施の形態３では、検査回路を有効に設定したときにはダイポールアンテナが接地端子に接続されるため、ＲＦ信号の送受信処理と並行して接続検査を実行することは不可能である。
【００６６】
なお、上記の実施の形態１〜３では、検査回路２０，２０Ａ〜２０Ｃの各々において、アンテナ２から接続部４に入力される電圧に応じてオンオフされるスイッチング素子、および制御部６からのトリガ信号に応じてオンオフされるスイッチング素子の代表例としてｎｐｎ型（またはｐｎｐ型）トランジスタを示しているが、当該スイッチング素子にｎｐｎ型（またはｐｎｐ型）トランジスタ以外のトランジスタを用いることができる点について確認的に記載する。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６８】
１，１Ａ〜１Ｃ  携帯端末、２  アンテナ、２Ｆ  逆Ｆアンテナ、２Ｄ  ダイポールアンテナ、３，３Ａ〜３Ｃ  回路基板、４  接続部、５  ＲＦ回路、６  制御部、７  メモリ、８  電源回路、９  報知部、１０  入力部、１１  信号線、２０，２０Ａ〜２０Ｃ  検査回路、２２  電圧検知部、Ｃ  容量素子、Ｔ１〜Ｔ４  トランジスタ、Ｒ１〜Ｒ３  抵抗素子、Ｌ１  リアクトル。
【図１】
2016072654.tif 000003
【図２】
2016072654.tif 000004
【図３】
2016072654.tif 000005
【図４】
2016072654.tif 000006
【図５】
2016072654.tif 000007
【図６】
2016072654.tif 000008
【図７】
2016072654.tif 000009